(57)【要約】【課題】フォームオーバーレイアプリをＤＩＭＭまたはＳＤメモリカードといった書き換え可能な記憶媒体上にダウンロードして供給することで既存のプリンタ装置と組み合わせてフォームオーバーレイ機能を実現することができるデジタル複合機を提供する。【解決手段】ＣＰＵ１０１がシステム制御を行い、ＨＤＤ１０４に格納されている印刷データにフォームオーバーレイアプリが指定されている場合は、ＤＩＭＭスロット１０５及びＳＤメモリカード１１０に装着されたＤＩＭＭ及びＳＤメモリカード内に格納されているフォームオーバーレイプログラムを起動させ、画像を形成し印刷を行う。【選択図】        図１
2004341958.tif 000002
【特許請求の範囲】
【請求項１】
プリンタコントローラ上にアプリケーションプログラムを格納できるＤＩＭＭまたはＳＤメモリカードスロットを有し、ＦＡＸ機能、電子メール送信機能、ドキュメント管理機能を有するＰＣと接続されたデジタル複合機において、
ＰＣから受信した印刷データを記憶した第１の記憶手段と、
フォームオーバーレイプログラムを記憶した第２の記憶手段と、
前記第２記憶手段によって記憶されたプログラムを認識する認識手段と、
前記デジタル複合機に前記第２記憶手段が装着されているかを認識する装着認識手段と、
前記印刷データ内に含まれる情報を解析する解析手段と、
前記第２の記憶手段によって記憶されたプログラムがシステム上で動作するかを判断する判断手段とを備え、
前記装着認識手段が、前記第２の記憶手段が装着されていることを認識し、前記判断手段によって、前記第２の記憶手段がシステム上動作するかを判断し、前記解析手段が前記印刷データ内に含まれる情報から使用するアプリケーションを選択することを特徴とするデジタル複合機。
【請求項２】
前記第２の記憶手段は、ＤＩＭＭまたはＳＤメモリカードであることを特徴とする請求項１記載のデジタル複合機。
【請求項３】
前記ＤＩＭＭ及び前記ＳＤメモリカードは、記憶している情報の中に前記ＤＩＭＭ及び前記ＳＤメモリカード自身が有する固有の情報を有することを特徴とする請求項１または２記載のデジタル複合機。
【請求項４】
前記装着認識手段は、前記デジタル複合機に前記第２の記憶手段である前記ＤＩＭＭ及びＳＤメモリカードが装着されているかを認識し、さらに、前記ＤＩＭＭ及び前記ＳＤメモリカードが有する前記固有の情報から純正品かを判別する判別手段を有することを特徴とする請求項１から３のいずれか１項に記載のデジタル複合機。
【請求項５】
前記印刷データは、起動アプリ情報とオプション情報、その他の情報を含むヘッダ情報部と、
画像データ、テキストデータを含む印刷データ部から構成されていることを特徴とする請求項１記載のデジタル複合機。
【請求項６】
前記起動アプリ情報は、フォームオーバーレイアプリと電子メールアプリ、ＦＡＸ送信アプリとＳＤＫアプリを含んでいることを特徴とする請求項５記載のデジタル複合機。
【請求項７】
前記オプション情報は、フォーム指定と電子メール宛先指定、ＦＡＸ宛先指定、ＳＤＫアプリ指定を含んでいることを特徴とする請求項５記載のデジタル複合機。
【請求項８】
前記解析手段は、ＰＣから受信した前記印刷データに含んでいる前記起動アプリ情報を参照して、通常のテキストデータであるかオプションを指定したデータかを解析することを特徴とする請求項１記載のデジタル複合機。
【請求項９】
前記判断手段は、装着された前記ＤＩＭＭおよび前記ＳＤメモリカードに記憶されているプログラムがシステム上動作する動作環境が整っているかを判断することを特徴とする請求項１記載のデジタル複合機。
【請求項１０】
前記デジタル複合機は、ネットワーク接続する機能を有し、前記起動アプリ情報に含まれる電子メールアプリと前記オプション情報に含まれる電子メール宛先指定を実現させる電子メール機能を有することを特徴とする請求項１から９のいずれか１項に記載のデジタル複合機。
【請求項１１】
前記デジタル複合機は、電話回線に接続する機能を有し、前記起動アプリ情報に含まれるＦＡＸ送信アプリと前記オプション情報に含まれるＦＡＸ宛先指定を実現させるＦＡＸ機能を有することを特徴とする請求項１から９のいずれか１項に記載のデジタル複合機。
【請求項１２】
前記デジタル複合機は、前記起動アプリ情報に含まれるＳＤＫアプリと前記オプション情報に含まれる前記ＳＤＫアプリ指定を実現させるためのＳＤＫライブラリを有することを特徴とする請求項１から９のいずれか１項に記載のデジタル複合機。
【請求項１３】
前記デジタル複合機は、前記ＳＤメモリカードに記録されているプログラムを変更することが可能であることを特徴とする請求項１から１２のいずれか１項に記載のデジタル複合機。
【請求項１４】
前記デジタル複合機は、前記ＳＤメモリカード内のプログラムを他のＳＤメモリカードに複製した場合に、複製された前記ＳＤメモリカードは動作しないように制御することを特徴とする請求項１から１２のいずれか１項に記載のデジタル複合機。
【請求項１５】
前記デジタル複合機は、前記ＤＩＭＭ及び前記ＳＤメモリカードに記録されているプログラムをＰＣ上へアップロードすることができることを特徴とする請求項１から１２のいずれか１項に記載のデジタル複合機。
【発明の詳細な説明】
【０００１】
【発明の属する技術分野】
本発明は、デジタル複合機に関し、特に、アプリケーションプログラムを格納できるＤＩＭＭスロットおよびＳＤメモリカードスロットを設けたデジタル複合機に関する。
【０００２】
【従来の技術】
従来、デジタル複合機の開発機種の多様化に対応してゆくために、機種上に搭載するアプリケーションの共通開発を行ってきた。また、開発を共通化すると共に製品自体も共通化することで開発コストの低減を図り、市場での他機種にわたる要求に対しても迅速に対応することが可能となる。
【０００３】
また、従来の技術として以下のような先行技術がある。
システム制御手段によって、電源立ち上げ時に周辺回路制御手段のシリアルＩＤ値と、エミュレーションプログラム増設手段内のシリアルＩＤ値を比較する制御を行うので、プログラムカードの偽造を防止することが可能なプリンタ装置がある（特許文献１）。
【０００４】
【特許文献１】
特開２００２−１６０４２４号公報
【０００５】
【発明が解決しようとする課題】
しかしながら、機種上に搭載するアプリケーションの共通化開発には、プログラムソフトに潜在する不具合の対策としてプログラムをアップデートする必要が生じることがあり、また、不正にプログラムをコピーするような行為に対する予防をしなくてはならない。
【０００６】
本発明は、係る問題に鑑みてなされたものであり、オプションプログラムの一例としてフォームオーバーレイアプリをＤＩＭＭまたはＳＤメモリカードといった書き換え可能な記憶媒体上にダウンロードして供給することで既存のプリンタ装置と組み合わせてフォームオーバーレイ機能を実現することができるアプリを様々な機種共通のアプリとして供給でき、また、挿入されたＤＩＭＭが純正製品であるかどうかを判別する機能を備えたデジタル複合機を提供することを目的とする。
【０００７】
【課題を解決するための手段】
上記目的を達成するために、請求項１記載のデジタル複合機は、プリンタコントローラ上にアプリケーションプログラムを格納できるＤＩＭＭまたはＳＤメモリカードスロットを有し、ＦＡＸ機能、電子メール送信機能、ドキュメント管理機能を有するＰＣと接続されたデジタル複合機において、ＰＣから受信した印刷データを記憶した第１の記憶手段と、フォームオーバーレイプログラムを記憶した第２の記憶手段と、第２記憶手段によって記憶されたプログラムを認識する認識手段と、デジタル複合機に第２記憶手段が装着されているかを認識する装着認識手段と、印刷データ内に含まれる情報を解析する解析手段と、第２の記憶手段によって記憶されたプログラムがシステム上で動作するかを判断する判断手段とを備え、装着認識手段が、第２の記憶手段が装着されていることを認識し、判断手段によって、第２の記憶手段がシステム上動作するかを判断し、解析手段が印刷データ内に含まれる情報から使用するアプリケーションを選択することを特徴とする。
【０００８】
請求項２記載の発明は、請求項１記載のデジタル複合機であって、第２の記憶手段は、ＤＩＭＭまたはＳＤメモリカードであることを特徴とする。
【０００９】
請求項３記載の発明は、請求項１または２記載のデジタル複合機であって、ＤＩＭＭ及びＳＤメモリカードは、記憶している情報の中にＤＩＭＭ及びＳＤメモリカード自身が有する固有の情報を有することを特徴とする。
【００１０】
請求項４記載の発明は、請求項１から３のいずれか１項に記載のデジタル複合機であって、装着認識手段は、デジタル複合機に第２の記憶手段であるＤＩＭＭ及びＳＤメモリカードが装着されているかを認識し、さらに、ＤＩＭＭ及びＳＤメモリカードが有する固有の情報から純正品かを判別する判別手段を有することを特徴とする。
【００１１】
請求項５記載の発明は、請求項１記載のデジタル複合機であって、印刷データは、起動アプリ情報とオプション情報、その他の情報を含むヘッダ情報部と、画像データ、テキストデータを含む印刷データ部から構成されていることを特徴とする。
【００１２】
請求項６記載の発明は、請求項５記載のデジタル複合機であって、起動アプリ情報は、フォームオーバーレイアプリと電子メールアプリ、ＦＡＸ送信アプリとＳＤＫアプリを含んでいることを特徴とする。
【００１３】
請求項７記載の発明は、請求項５記載のデジタル複合機であって、オプション情報は、フォーム指定と電子メール宛先指定、ＦＡＸ宛先指定、ＳＤＫアプリ指定を含んでいることを特徴とする。
【００１４】
請求項８記載の発明は、請求項１記載のデジタル複合機であって、解析手段は、ＰＣから受信した印刷データに含んでいる起動アプリ情報を参照して、通常のテキストデータであるかオプションを指定したデータかを解析することを特徴とする。
【００１５】
請求項９記載の発明は、請求項１記載のデジタル複合機であって、判断手段は、装着されたＤＩＭＭおよびＳＤメモリカードに記憶されているプログラムがシステム上動作する動作環境が整っているかを判断することを特徴とする。
【００１６】
請求項１０記載の発明は、請求項１から９のいずれか１項に記載のデジタル複合機であって、デジタル複合機は、ネットワーク接続する機能を有し、起動アプリ情報に含まれる電子メールアプリとオプション情報に含まれる電子メール宛先指定を実現させる電子メール機能を有することを特徴とする。
【００１７】
請求項１１記載の発明は、請求項１から９のいずれか１項に記載のデジタル複合機であって、デジタル複合機は、電話回線に接続する機能を有し、起動アプリ情報に含まれるＦＡＸ送信アプリとオプション情報に含まれるＦＡＸ宛先指定を実現させるＦＡＸ機能を有することを特徴とする。
【００１８】
請求項１２記載の発明は、請求項１から９のいずれか１項に記載のデジタル複合機であって、デジタル複合機は、起動アプリ情報に含まれるＳＤＫアプリとオプション情報に含まれるＳＤＫアプリ指定を実現させるためのＳＤＫライブラリを有することを特徴とする。
【００１９】
請求項１３記載の発明は、請求項１から１２のいずれか１項に記載のデジタル複合機であって、デジタル複合機は、ＳＤメモリカードに記録されているプログラムを変更することが可能であることを特徴とする。
【００２０】
請求項１４記載の発明は、請求項１から１２のいずれか１項に記載のデジタル複合機であって、デジタル複合機は、ＳＤメモリカード内のプログラムを他のＳＤメモリカードに複製した場合に、複製されたＳＤメモリカードは動作しないように制御することを特徴とする。
【００２１】
請求項１５記載の発明は、請求項１から１２のいずれか１項に記載のデジタル複合機であって、デジタル複合機は、ＤＩＭＭ及びＳＤメモリカードに記録されているプログラムをＰＣ上へアップロードすることができることを特徴とする。
【００２２】
【発明の実施の形態】
次に添付図面を参照して本発明の実施形態を説明する。
図１は、プリンタシステム装置のコントローラボードの構成を示した図である。
プリンタシステム装置のコントローラボードは、ＣＰＵ１０１とＲＯＭ１０２、ＲＡＭ１０３、ＨＤＤ１０４、ＤＩＭＭスロット１０５、ＡＳＩＣ１０６、コントロールパネルＩ／Ｆ１０７、エンジンＩ／Ｆ１０８、ＦＡＸアプリケーション１０９、ＳＤメモリカードスロット１１０から構成されている。
【００２３】
ＲＯＭ１０２は、標準プログラムを格納する。ＲＡＭ１０３は、プログラムを実行するための領域として用いる。ＨＤＤ１０４は、他プログラム、フォントデータ、印刷データなどを格納する。ＤＩＭＭスロット１０５およびＳＤメモリカードスロット１１０は、アプリケーションを格納したＤＩＭＭやＳＤメモリカードを装着する。ＡＳＩＣ１０６は、印刷データを画像展開する際にデータを処理する。コントロールパネルＩ／Ｆは、デジタル複合機の設定をするコントロールパネルとの接続をする。エンジンＩ／Ｆ１０８は、プリンタエンジンとの接続をする。ＦＡＸアプリケーション１０９は、ＦＡＸ機能を実現させる。
【００２４】
次に図２の動作シーケンス図を用いて、プリンタシステム装置のコントローラボードにおけるデータ受信時の動作を説明する。
まず、データ受信をすると（ステップＳ２０１）、データがＤＩＭＭまたはＳＤメモリカード内のオプションアプリを使用するデータがどうかを判断するためにデータを解析する（ステップＳ２０２）。データの解析は、図３に示す印刷データフォーマット内におけるヘッダ情報３０１内の起動アプリ情報３０３を参照する。
【００２５】
データ解析（ステップＳ２０２）において、受信したデータが通常データであるか、またはオプションアプリ指定データであるかを判別し、判別によって通常の印刷アプリを起動するか、オプションアプリを起動するかを決定する。解析データが、通常データまたはオプションアプリ指定データだがオプションアプリが存在しない場合は、通常の印刷アプリを起動する（ステップＳ２０７）。
【００２６】
データ解析（ステップＳ２０２）において、解析したデータ（起動アプリ情報３０３）にてフォームオーバーレイアプリが指定されれば、フォームオーバーレイアプリを起動する（ステップＳ２０３）。フォームオーバーレイアプリにおいては、受信したヘッダ情報３０１からオプション情報３０４（フォーム指定）を解析し、指定されたフォームをＤＩＭＭまたはＳＤメモリカード内から展開し、画像を形成した後、受信データの印刷データと合成して印刷すべく、通常の印刷アプリ２０７を起動する。
【００２７】
また、解析したデータ（起動アプリ情報３０３）にて、電子メールアプリが指定されていれば、電子メールアプリ（ステップＳ２０４）を起動する。同様に、解析したデータ（起動アプリ情報３０３）にて、ＦＡＸ送信アプリが指定されていれば、ＦＡＸ送信アプリ起動（ステップＳ２０５）、ＳＤＫ（Ｓｏｆｔｗａｒｅ  Ｄｅｖｅｌｏｐｍｅｎｔ  Ｋｉｔ）アプリが指定されていれば、ＳＤＫアプリを起動する（ステップＳ２０６）。
【００２８】
なお、ＦＡＸ送信アプリを起動した場合は（ステップＳ２０７）、ＦＡＸ送信アプリ内で処理するのは、宛先の指定および受信データのＦＡＸ送信できる画像への展開までとなるので展開したデータを実際にＦＡＸ送信するには、ＦＡＸアプリケーション２０８を起動してＦＡＸ送信を実行する（ステップＳ２０８）。なお、オプションアプリが装置内に存在するかどうかは、プリンタシステム装置の起動時にＤＩＭＭまたはＳＤメモリカードが装着されているかどうかをチェックし、装着されていれば、媒体内の情報（図４に示すＤＩＭＭ／ＳＤメモリカード内データフォーマットのヘッダ情報４０２）を読み取ることで、どのような種類のアプリが装着されているかを確認する。
【００２９】
図３は、印刷データフォーマットを示した図である。
印刷データフォーマットは、基本的にヘッダ情報３０１と、印刷データ３０２とからなる。ヘッダ情報３０１内には、少なくとも起動アプリ情報３０３とオプション情報３０４とを有し、その他の情報３０５とで構成される。起動アプリ情報３０３としては、そのデータを、オプションアプリを利用して印刷する場合に、そこに利用したオプションアプリ情報を指定する。例えば、フォームオーバーレイアプリ、電子メールアプリ、ＦＡＸ送信アプリ、ＳＤＫアプリといった情報となる。オプション情報３０４については、起動アプリ情報３０３にて指定されたアプリにて指定されたアプリによって情報が異なる。
【００３０】
起動アプリ情報３０３にてフォームオーバーレイアプリが指定されていれば、オプション情報３０４としては、フォーム指定（ＤＩＭＭまたはＳＤメモリカード内に格納されるフォームの指定）となる。また、起動アプリ情報３０３にて、電子メールアプリが指定されていれば、オプション情報３０４としては電子メール宛先指定となる。
【００３１】
同様に、ＦＡＸ送信アプリが指定されていれば、ＦＡＸ宛先指定、ＳＤＫアプリが指定されていれば、ＳＤＫアプリ指定（これはＳＤＫアプリが同一ＤＩＭＭまたはＳＤメモリカード内に複数存在する場合に、ＳＤＫアプリの名前または、ＩＤ番号にて指定することが可能となる）となる。
【００３２】
また、ＳＤＫアプリの場合には、その他情報３０５としてＳＤＫアプリにて使用する固有の情報をセットして利用することも可能である。印刷データ部３０３としては通常の印刷データとして、画像データ／テキストデータといった通常の印刷データとなる。
【００３３】
図４は、ＤＩＭＭ／ＳＤメモリカード内データフォーマットを示した図である。
図４に示すように、オプションアプリデータフォーマットは、書き込み禁止領域（ＤＩＭＭ／ＳＤメモリカード固有情報を含む）４０１、ヘッダ情報４０２、アプリ１（プログラム１）領域４０３、符号４０３であるデータ領域１、アプリ２（プログラム２）領域４０５、符号４０６であるデータ領域２といった構造で構成される。書き込み禁止領域４０１（ＤＩＭＭ／ＳＤメモリカード固有情報を含む）には、ＤＩＭＭまたはＳＤメモリカード自身が持つ固有の情報（例えばシリアルナンバー）を持ち、媒体のフォーマット時に書き込まれる。この部分の情報については、ユーザが書き込み出来ないものとする。
【００３４】
ヘッダ情報４０２内には、媒体内に含まれるアプリの情報（格納アプリの数、アプリプログラムサイズ、アプリデータサイズ等）を持ち、アプリが複数ある場合は、アプリ１（プログラム１）領域４０３、データ領域４０４、アプリ２（プログラム２）領域４０５、データ領域４０６といったように、アプリ領域とデータ領域との組み合わせで格納される。
【００３５】
データをダウンロードして登録するエリアについては、ヘッダ情報４０２以降の領域を登録することとなる。また、データのアップロード機能については、全ての情報をアップロードすることとなり、アプリをダウンロードして登録する際には、登録しようとしているダウンロードデータ内の書き込み禁止領域４０１の情報と、実際に存在する媒体内の書き込み禁止領域４０１内の情報とが、合致しない場合には、ヘッダ情報４０２以下のダウンロードデータの書き込みを禁止する。さらに、ホストにアップロードした書き込み禁止領域４０１を含むデータ領域については、この領域の情報についてデータ変更が出来ないようにホスト側ツールにてユーザには開示されないような仕組みとなる。
【００３６】
図５は、電源ＯＮ時の起動時の処理動作を示したフローチャートである。
まず、装置電源がＯＮされると（ステップＳ５０１）、ＤＩＭＭ／ＳＤメモリカード装着状況の認識を行う（ステップＳ５０２）。ここでは、ＤＩＭＭが装着されている場合は、ＤＩＭＭデバイスに特別なチップが装着されているかの判断を行う（ステップＳ５０３）。このチップによってＤＩＭＭが純正の製品であることを判別することが可能となる。
【００３７】
装着されているＤＩＭＭが純正の製品でないと判断した場合に（ステップＳ５０３／ＮＯ）、ＤＩＭＭを認識せずに装置起動（正常起動）する（ステップＳ５０６）。または起動せずにエラー表示をし、起動処理を終了することも可能である。また、ＤＩＭＭが純正の製品であると判別した場合は（ステップＳ５０３／ＹＥＳ）、ＤＩＭＭフォーマットは正規のフォーマットかの判断を行う（ステップＳ５０４）。ここでは、書き込み禁止領域（ＤＩＭＭ／ＳＤメモリカード固有情報を含む）内の情報を読み込み、純正な製品であるかどうかを判別する。ここでＤＩＭＭが純正品であると判断された場合は（ステップＳ５０４／ＹＥＳ）、ＤＩＭＭプログラム対応装置であることを認識し、装置起動を行う（ステップＳ５０６）。また、ＤＩＭＭが純正品でないと判断された場合は（ステップＳ５０４／ＮＯ）、ＤＩＭＭを認識せずに、正常起動する（ステップＳ５０６）。
【００３８】
同様に、ＤＩＭＭ／ＳＤメモリカード装着状況の認識（ステップＳ５０２）において、ＳＤメモリカードが装着されている場合は、ＳＤメモリカードフォーマットは正規のフォーマットかの判断を行う（ステップＳ５０５）。なお、判断基準はＤＩＭＭ判断基準と同等である。ステップＳ５０５の判断により、ＳＤメモリカードプログラム対応装置として起動するか、ＳＤメモリカード非対応装置として起動するかを決定し、装置を起動する（ステップＳ５０６）。
【００３９】
上記に示した本発明の実施形態によって、ＰＣから受信した印刷データをＢＭＰファイル、ＴＩＦＦファイルといった画像ファイル形式に変換して、任意の宛先にメール配信することができ、さらに受信した印刷データを任意の宛先にＦＡＸ送信することができる。
【００４０】
また、ユーザが任意に開発したアプリを動作させるためのライブラリ機能を有し、開発したアプリをＤＩＭＭまたはＳＤメモリカード上へダウンロードすることができる。
【００４１】
また、ユーザが任意に開発したアプリをデジタル複合機上で動作させるために、アプリをＤＩＭＭまたはＳＤメモリカード上へダウンロードすることができ、アップロードしたＤＩＭＭまたはＳＤメモリカード内に登録されているアプリとユーザが独自に開発したアプリとをあわせてダウンロードすることができる機能を有する。
【００４２】
また、ＤＩＭＭまたはＳＤメモリカード内に登録されるアプリが不正に他機種へコピーされて利用されることを防ぐことができる。
【００４３】
また、ＤＩＭＭまたはＳＤメモリカードを純正製品か否かを判別することで、市場に不正にコピーされた物品が氾濫するようなことを防ぎ、さらに、市場におけるプログラム内容の不備、不具合に対して実機上でのプログラムアップデートを有効とすることで、市場での不具合に早急に対応できる。
【００４４】
【発明の効果】
以上の説明から明らかなように、本発明のデジタル複合機は、フォームオーバーレイアプリをＤＩＭＭまたはＳＤメモリカードといった書き換え可能な記録媒体上にダウンロードして供給することで既存のプリンタ装置と組み合わせてフォームオーバーレイ機能を実現することができる。
【００４５】
さらに、挿入されたＤＩＭＭが純正製品であるかどうかを判別するためにチップを搭載し、チップの有無によって、ＤＩＭＭが純正製品であるかどうかを判断し、その判別結果によって、デジタル複合機の起動状況に影響を及ぼすことで、ＤＩＭＭが市場にて不正にコピーされた物品が氾濫することを防ぐことができる。
【図面の簡単な説明】
【図１】本発明の実施形態であるプリンタシステム装置のコントローラボードの構成を示す。
【図２】本発明の実施形態であるデータ受信時のコントローラの処理動作を示す動作シーケンス図である。
【図３】本発明の実施形態である印刷データフォーマットを示した図である。
【図４】本発明の実施形態であるＤＩＭＭ／ＳＤメモリカード内のデータフォーマットを示した図である。
【図５】本発明の実施形態である電源ＯＮ時の起動処理動作を示したシーケンス図である。
【符号の説明】
１０１  ＣＰＵ
１０２  ＲＯＭ
１０３  ＲＡＭ
１０４  ＨＤＤ
１０５  ＤＩＭＭスロット
１０６  ＡＳＩＣ
１０７  コントロールパネルＩ／Ｆ
１０８  エンジンＩ／Ｆ
１０９  ＦＡＸアプリケーション
１１０  ＳＤメモリカードスロット
【図１】
2004341958.tif 000003
【図２】
2004341958.tif 000004
【図３】
2004341958.tif 000005
【図４】
2004341958.tif 000006
【図５】
2004341958.tif 000007